(57)【要約】【課題】  屋内自動化養殖システムの提供。【解決手段】  少なくとも一組の養殖池、循環水処理システム、複数の投餌装置、外部システム及び自動モニタリングシステムを具え、それは養殖生物を屋内の階段状養殖池で養殖し並びにステップ式養殖を採用し、養殖密度を増して使用空間を減らし、その養殖用水は先ず循環水処理システムで処理され、並びに随時水質モニタリングシステムで養殖池の水質状態がモニタリングされ、これにより養殖用水が最良の状態に保持され、また養殖池の上方で移動する散布式の投餌装置が均一に飼料を散布し、これにより養殖生存率を高め、養殖生産量を増し、養殖水品質の制御を容易とすることができる。【選択図】        図１
2006042635.tif 000002
【特許請求の範囲】
【請求項１】
少なくとも一組の養殖池（１０）、循環水処理システム（２０）、複数の投餌装置（３０）、外部システム（４０）及び自動モニタリングシステム（５０）を具えた屋内自動化養殖システムにおいて、
該少なくとも一組の養殖池（１０）は所定の距離を以て屋内空間（１１）に配列され、各組の養殖池（１０）は階段状配列された複数の養殖エリア（１２）で形成され、養殖池（１０）の最低部分に排出管（１３）が設けられ、その下方に排出槽（１４）が設けられて養殖生物を収容し、該循環水処理システム（２０）は複数の養殖池（１０）の傍らの任意の屋内空間（１１）内に設けられて養殖池（１０）の循環用水を処理して供給し、それは物理濾過機（２３）、沈殿池（２４）、量子ゲル電気泳動機（２５）、酸素ガスコーン（２８）、浄水池（２６）、及び複数のバイオろ床（２７）を具え、該複数の投餌装置（３０）はチェーン（３１）により養殖池（１０）に沿って横向きに移動し、並びに回転方式で飼料を養殖池（１０）中に散布し、該外部システム（４０）は該養殖池（１０）の外側に設けられて補水池（４１）と排出池（４２）で組成され、該補水池（４１）が外部より引き込んだ水を収容し、並びに養殖用水を提供し、該排出池（４２）に汚物が排出され、該自動モニタリングシステム（５０）は、循環水処理システム（２０）の傍らの任意の屋内空間（１１）内に設けられて水質モニタリングシステム（５１）と自動投餌制御システム（５２）を具えたことを特徴とする、屋内自動化養殖システム。
【請求項２】
請求項１記載の屋内自動化養殖システムにおいて、水質モニタリングシステム（５１）がマイクロコンピュータ及び養殖池（１０）に複数設置されたサンプル抽出ポンプを用いて養殖池（１０）の水温、酸素含有量、酸アルカリ値及び酸化還元を測定し、循環水処理システム（２０）の動作を制御することを特徴とする、屋内自動化養殖システム。
【発明の詳細な説明】
【技術分野】
【０００１】
本発明は養殖システム、特に水質の自動化モニタリング、養殖水の自動交換及び自動投餌が行なえる屋内養殖システムに関する。
【背景技術】
【０００２】
伝統的な養殖システムは、地下水及び屋外養殖が採用され、地下水或いは海水の酸素含有量は低くまた微生物が多いために養殖生物を死亡させやすい。近年養殖環境の不良及び気候変化が不安定であるために各種のウイルスが養殖生物の生存を脅かし、養殖生存率が顕著に下がっている。このため現在、屋内養殖及び循環水養殖システムの研究に力が注がれている。
【発明の開示】
【発明が解決しようとする課題】
【０００３】
本発明の主要な目的は、屋内養殖及び分池養殖方式の利用により、外在環境の影響を排除し、養殖生存率を高めることにある。
【０００４】
本発明の別の目的は、高密度の養殖システムを提供して養殖生産量を増すことにある。
【０００５】
本発明のまた別の目的は、自動化した養殖システムにより養殖水品質の制御を容易に達成できるようにし、また、定時の定量投餌を行なえるようにすることにある。
【課題を解決するための手段】
【０００６】
請求項１の発明は、少なくとも一組の養殖池（１０）、循環水処理システム（２０）、複数の投餌装置（３０）、外部システム（４０）及び自動モニタリングシステム（５０）を具えた屋内自動化養殖システムにおいて、
該少なくとも一組の養殖池（１０）は所定の距離を以て屋内空間（１１）に配列され、各組の養殖池（１０）は階段状配列された複数の養殖エリア（１２）で形成され、養殖池（１０）の最低部分に排出管（１３）が設けられ、その下方に排出槽（１４）が設けられて養殖生物を収容し、該循環水処理システム（２０）は複数の養殖池（１０）の傍らの任意の屋内空間（１１）内に設けられて養殖池（１０）の循環用水を処理して供給し、それは物理濾過機（２３）、沈殿池（２４）、量子ゲル電気泳動機（２５）、酸素ガスコーン（２８）、浄水池（２６）、及び複数のバイオろ床（２７）を具え、該複数の投餌装置（３０）はチェーン（３１）により養殖池（１０）に沿って横向きに移動し、並びに回転方式で飼料を養殖池（１０）中に散布し、該外部システム（４０）は該養殖池（１０）の外側に設けられて補水池（４１）と排出池（４２）で組成され、該補水池（４１）が外部より引き込んだ水を収容し、並びに養殖用水を提供し、該排出池（４２）に汚物が排出され、該自動モニタリングシステム（５０）は、循環水処理システム（２０）の傍らの任意の屋内空間（１１）内に設けられて水質モニタリングシステム（５１）と自動投餌制御システム（５２）を具えたことを特徴とする、屋内自動化養殖システムとしている。
請求項２の発明は、請求項１記載の屋内自動化養殖システムにおいて、水質モニタリングシステム（５１）がマイクロコンピュータ及び養殖池（１０）に複数設置されたサンプル抽出ポンプを用いて養殖池（１０）の水温、酸素含有量、酸アルカリ値及び酸化還元を測定し、循環水処理システム（２０）の動作を制御することを特徴とする、屋内自動化養殖システムとしている。
【発明の効果】
【０００７】
本発明の屋内自動化養殖システムは、少なくとも一組の養殖池、循環水処理システム、複数の投餌装置、外部システム及び自動モニタリングシステムを具え、それは養殖生物を屋内の階段状養殖池で養殖し並びにステップ式養殖を採用し、養殖密度を増して使用空間を減らし、その養殖用水は先ず循環水処理システムで処理され、並びに随時水質モニタリングシステムで養殖池の水質状態がモニタリングされ、これにより養殖用水が最良の状態に保持され、また養殖池の上方で移動する散布式の投餌装置が均一に飼料を散布し、これにより養殖生存率を高め、養殖生産量を増し、養殖水品質の制御を容易としている。
【発明を実施するための最良の形態】
【０００８】
図１、２、３、４に示されるように、養殖池（１０）は所定の距離を以て屋内空間（１１）に配列され、養殖池（１０）は階段状配列された複数の養殖エリア（１２）で形成され、養殖池（１０）の最低部分に排出管（１３）が設けられ、その下方に排出槽（１４）が設けられて養殖生物を収容し、該排出槽（１４）に排出口（１４１）と排出制御弁（１４２）が設けられ、該排出制御弁（１４２）の制御により、排出槽（１４）内の養殖水が排出口（１４１）より物理濾過機（２３）に送られて循環利用される。養殖池（１０）はポリ塩化ビニル管が組み合わされてなる複数の養殖エリア（１２）を具え、該養殖エリア（１２）の底面及び周囲の内側にプラスチック布が舗設され、該養殖エリア（１２）の底面は傾斜を呈し並びにその間に連通管（１５）が設けられ、各養殖エリア（１２）内に主入水口（１６）と主排出口（１７）が設けられて循環用水の養殖池（１０）に対する進出に供される。また、養殖生物をある時間養殖した後、養殖エリア（１２）の連通管（１５）により養殖生物が隣接する養殖エリア（１２）に移され、もとの養殖エリア（１２）に即刻新しい養殖生物が放される。このような養殖方式により各養殖エリア（１２）の養殖の時間が短縮され且つ養殖生物の体積に応じて養殖エリア（１２）の面積が設計されることにより、各養殖池（１０）の毎年の養殖回数が増しまた養殖密度が高められ、毎年の養殖収穫量が増す。また、養殖池（１０）には回流入水の設計を採用可能で、それによると、養殖池（１０）の各養殖エリア（１２）に主入水管（２１）に接続された複数の入水管（１８）が設けられ、該入水管（１８）の側面に出水口（１８１）が開設され、且つ各養殖エリア（１２）間に隔板（１９）が設けられ、養殖水が該入水管（１８）に進入し、養殖水が入水管（１８）の出水口（１８１）より噴出し並びに隔板（１９）の制限を受け、養殖水が回流を形成する。
【０００９】
循環水処理システム（２０）は、複数の養殖池（１０）の傍らの任意の屋内空間（１１）内に設けられ、主入水管（２１）が各養殖池（１０）の複数の主入水口（１６）に接続され、各主入水口（１６）と主入水管（２１）の間に入水制御弁（２１１）が設けられている。主排水管（２２）は各養殖池（１０）の複数の主排水口（１７）に接続され、各主排水口（１７）と主排水管（２２）の間に排水制御弁（２２１）が設けられている。物理濾過機（２３）は主排水管（２２）に設けられ、主体（２３１）とその内部に設置されてフィルタネットを具えた濾過筒（２３２）で構成され、その一端に主排水管（２２）と接続される第１入水口（２３３）と汚物排出口（２３４）が設けられ、もう一端に第１出水口（２３５）が設けられている。沈殿池（２４）は物理濾過機（２３）の一側に設けられ、それと物理濾過機（２３）の間に第１入水管（２４１）が設けられ、物理濾過機（２３）で濾過された後の循環水が、第１出水口（２３５）より第１入水管（２４１）を通り沈殿池（２４）に排出され保存される。量子ゲル電気泳動機（２５）は、沈殿池（２４）の一側に設けられ、それと沈殿池（２４）の間に第２入水管（２５１）と沈殿池（２４）の循環水を吸い取る第１ポンプ（２５２）が設けられ、該量子ゲル電気泳動機（２５）は本体（２５３）とその内部に取り付けられた複数の電極板で構成され、循環水の窒素含有物質を除去すると共に殺菌処理を行なう。浄水池（２６）は量子ゲル電気泳動機（２５）の一側に設けられ、それと量子ゲル電気泳動機（２５）の間に第３入水管（２６１）が設けられている。該浄水池（２６）の内部に複数のバイオろ床（２７）が設けられ、該バイオろ床（２７）の内部にろ材が設けられ、ろ材表面に固定、生長させられた微生物膜により循環水のアンモニア含有物質を分解する。酸素ガスコーン（２８）は主入水管（２１）に設けられ、且つそれと浄水池（２６）の間に第２ポンプ（２８１）が設けられ並びに第４入水管（２８２）に接続され、該酸素ガスコーン（２８）は円錐体とされて養殖水の酸素ガス溶解率を高める。
【００１０】
複数の投餌装置（３０）は、梁構造で養殖池（１０）の中央上方に設けられ、並びにチェーン（３１）により駆動されて養殖池（１０）に沿って横向きに移動し、該投餌装置（３０）の内部に二つのフィード槽（３２）が設けられ、並びに回転子の制御により飼料が回転盤（３３）に落ち、回転盤（３３）の回転により飼料が均一に養殖池（１０）中に散布される。
【００１１】
外部システム（４０）は、養殖池（１０）の外側に設けられ、補水池（４１）及び排出池（４２）で構成され、そのうち、補水池（４１）は主排水管（２２）に設けられ、その内部に主排水管（２２）に接続された第３ポンプ（４１１）及び海水を吸い出す第４ポンプ（４１２）が設けられ、第３ポンプ（４１１）と主排水管（２２）の間に外部入水制御弁（４１３）が設けられ、該補水池（４１）は外部より引き込んだ海水の不純物を沈殿させて養殖揚水とするのに用いられる。該排出池（４２）は補水池（４１）の一側に設けられ、該排出池（４２）と物理濾過機（２３）の汚物排出口（２３４）の間に汚物排出管（４２１）が設けられ、該物理濾過機（２３）は汚物排出口（２３４）より排出された汚物を該汚物排出管（４２１）を通して排出池（４２）に排出する。
【００１２】
自動モニタリングシステム（５０）は、循環水処理システム（２０）の傍らの任意の屋内空間（１１）内に設けられ、水質モニタリングシステム（５１）はマイクロコンピュータ及び養殖池（１０）に設置された複数のサンプル抽出ポンプを用いて養殖池（１０）の水温、酸素含有量、酸アルカリ値及び酸化還元を測定し、マイクロコンピュータの表示装置により水質データを読み取り、循環水処理システム（２０）の動作を制御し、またインターネット接続方式により、水質モニタリングシステム（５１）より水質データをキャプチャし、養殖システムの遠隔制御及びモニタリングを達成する。該自動投餌制御システム（５２）は該投餌装置（３０）の動作を設定するのに用いられ、投餌装置（３０）に養殖池（１０）に定時及び定量の飼料散布を行なわせる。
【００１３】
本発明の養殖システムは、養殖池（１０）が屋内に設けられたことにより外在環境変化の養殖生物に対する影響を減らすことができ、並びに養殖池（１０）に階段状配列が採用され並びにステップ式養殖が採用されたことで、養殖密度が増され使用空間が減らされる。また、養殖用水が先に循環水処理システム（２０）で処理された後に養殖池（１０）に引き込まれるため、養殖用水の品質が改善される。水質モニタリングシステム（５１）が随時どこからでも養殖池（１０）の水質状態をモニタリングでき、並びに水質状態により循環水処理システム（２０）の動作及び養殖水の交換或いは補充を制御して養殖用水を最良の状態に保持でき、これにより養殖生存率を増すことができる。投餌段階では、自動投餌制御システム（５２）が定時に定量制御された投餌を行ない、餌を遠心力により散布し、デュアルフィード槽（３２）により投餌し、且つ投餌装置（３０）が養殖池（１０）の上方を移動して均一な餌の散布を達成し、養殖生物の成長を均一とする。これにより本発明は高い養殖生存率、養殖生産量の増加、容易な養殖水品質の制御、定時定量投餌を達成する。
【００１４】
以下に白海老養殖を例として本発明と周知の養殖システムの差異を表に示した。
【００１５】
【表１】
2006042635.tif 000003
【図面の簡単な説明】
【００１６】
【図１】本発明の屋内自動化養殖システムのフローチャートである。
【図２】本発明の屋内自動化養殖システムの表示図である。
【図３】本発明の養殖池と投餌装置の表示図である。
【図４】本発明の回流設計の養殖池表示図である。
【符号の説明】
【００１７】
（１０）養殖池
（１１）屋内空間
（１２）養殖エリア
（１３）排出管
（１４）排出槽
（１４１）排出口
（１４２）排出制御弁
（１５）連通管
（１６）主入水口
（１７）主排出口
（１８）入水管
（１８１）出水口
（１９）隔板
（２０）循環水処理システム
（２１）主入水管
（２１１）入水制御弁
（２２）主排水管
（２２１）排水制御弁
（２３）物理濾過機
（２３１）主体
（２３２）濾過筒
（２３３）第１入水口
（２３４）汚物排出口
（２３５）第１出水口
（２４）沈殿池
（２４１）第１入水管
（２５）量子ゲル電気泳動機
（２５１）第２入水管
（２５２）第１ポンプ
（２５３）本体
（２６）浄水池
（２６１）第３入水管
（２７）バイオろ床
（２８）酸素ガスコーン
（２８１）第２ポンプ
（２８２）第４入水管
（３０）投餌装置
（３１）チェーン
（３２）フィード槽
（３３）回転盤
（４０）外部システム
（４１）補水池
（４１１）第３ポンプ
（４１２）第４ポンプ
（４１３）外部入水制御弁
（４２）排出池
（４２１）汚物排出管
（５０）自動モニタリングシステム
（５２）自動投餌制御システム
【図１】
2006042635.tif 000004
【図２】
2006042635.tif 000005
【図３】
2006042635.tif 000006
【図４】
2006042635.tif 000007